(57)【要約】【課題】主たる第一の表示装置の近傍に、副たる第二の表示装置を配置するようにした構成において、本体の厚みや投影面積を抑えることが可能となる表示装置を提供する。【解決手段】主たる第一の表示手段と、副たる第二の表示手段とを備え、該副たる第二の表示手段が主たる第一の表示手段における表示面の下部側前面に、その一部が重なる状態で配置される映像表示装置であって、  前記副たる第二の表示手段は、表示部と、該表示部の駆動基板と、該表示部の下部側に光源を有するバックライトと、を備え、  前記駆動基板を、前記一部が重なる状態で配置される領域外であり、且つ、前記バックライト背面の前記光源寄りに配置して、前記一部が重なる状態で配置される領域に空きスペースを形成し、  前記主たる第一の表示手段が、前記空きスペースにその一部が重なる状態で配置可能に構成されている。【選択図】            図５
2010127998.tif 000002
【特許請求の範囲】
【請求項１】
主たる第一の表示手段と、副たる第二の表示手段とを備え、該副たる第二の表示手段が主たる第一の表示手段における表示面の下部側前面に、その一部が重なる状態で配置される映像表示装置であって、
前記副たる第二の表示手段は、表示部と、該表示部の駆動基板と、該表示部の下部側に光源を有するバックライトと、を備え、
前記駆動基板を、前記一部が重なる状態で配置される領域外であり、且つ、前記バックライト背面の前記光源寄りに配置して、前記一部が重なる状態で配置される領域に空きスペースを形成し、
前記主たる第一の表示手段が、前記空きスペースにその一部が重なる状態で配置可能に構成されていることを特徴とする映像表示装置。
【請求項２】
前記副たる第二の表示手段の前記表示部が、液晶表示手段で構成されていることを特徴とする請求項１に記載の映像表示装置。
【請求項３】
前記主たる第一の表示手段は、該第一の表示手段の外周部が枠体によって保持され、
前記副たる第二の表示手段の前記表示部が、前記枠体における前記第一の表示手段の表示面の下部側に形成された表示窓に、対応させて配置されていることを特徴とする請求項１または請求項２に記載の映像表示装置。
【請求項４】
前記主たる第一の表示手段は、該第一の表示手段の外周部が枠体によって保持されると共に、
表示装置本体と、該表示装置本体の表示面に平行で、所定量離れた位置に配置された保護板によって構成され、
前記副たる第二の表示手段の前記表示部が、前記枠体における前記表示面の保護板の下部側に形成された表示窓に、対応させて配置されていることを特徴とする請求項１または請求項２に記載の映像表示装置。
【発明の詳細な説明】
【技術分野】
【０００１】
本発明は、映像表示装置に関し、特に、薄型ディスプレイパネルを搭載するテレビ等の表示装置に関するものであって、主たる第一の表示装置と、副たる第二の小型表示装置を一つの筐体に収めた映像表示装置に関するものである。
【背景技術】
【０００２】
テレビ等の表示装置において、主たる第一の映像表示手段の他に、副たる第二の情報表示手段を備え、第二の情報表示手段に種々の情報を表示することで利便性を向上させようという提案が、従来よりなされている。
例えば、特許文献１では、第一の表示手段が、所定時間経過して作動が停止するオートパワーオフ状態のときに、第二の表示部にオートパワーオフ機能が作動したことを表示し、ユーザーに機器の状態を知らせることができるテレビが提案されている。
【０００３】
また、特許文献２では、第一の表示部がプロジェクタである場合に、光源が発光停止後、再度発光可能となるまでの時間、第二の表示部で目的の表示を代用するプロジェクションテレビが提案されている。
これらの提案は、第二の表示手段に、いつ、どのような表示を行うかによって、使い勝手の向上を図ったものである。
また、特許文献３では、副たる第二の表示手段を第一の表示手段を保持するベゼルに配置し、このキャビネット前面にパンチングシートを取り付け、このシートを透過して第二の表示手段の表示内容を視認させるものが提案されている。
これは、パンチングシート越しに見せることで、第二の表示部を目立たないように構成し、第一の表示を見たときの障害にならないようにしたものである。
【特許文献１】特開２００６−２９５３５１号公報
【特許文献２】特開２００６−２１７４５７号公報
【特許文献３】特開平５−１１０９６８号公報
【発明の開示】
【発明が解決しようとする課題】
【０００４】
一方、近年ＰＤＰや液晶パネルを搭載した大画面、薄型のテレビが急速に普及しているが、このようなテレビは、ブラウン管を内蔵する従来のテレビと比較して大幅に薄く、省スペースであることが大きな特徴である。
ところが、このような薄型の映像表示装置において、主たる第一の表示装置の近傍に第二の表示装置を配置すると、製品の厚みや、投影面積が大きくなってしまうという問題があった。
【０００５】
図６〜図９は、主たる第一の表示装置と、副たる第二の表示装置を配置した従来例の映像表示装置を示したものである。
図６と図８は従来の表示装置の外観斜視図、図７は図６中の破線ａ−ａにおける断面図、図９は図８中の破線ａ−ａにおける断面図である。
図６〜図９において、１０１は主たる第一の表示装置の表面パネル、１０２は副たる第二の表示装置の画面、１０３はベゼル、１０４はスタンドである。
１０５は第一の表示装置本体、１０６は第一の表示装置の駆動基板、１０７は基板１０６上の実装素子、１０８はリアカバー、１０９はベゼルの取り付けフレーム、１１０は第二の表示装置の駆動基板である。
【０００６】
図６及び図７の例では、第二の表示装置の画面１０２及びその駆動基板１１０が第一の表示装置の表面パネル１０１の前面に重なる状態で配置されるため、ベゼル部分の厚み寸法（図中Ｂ）が厚くなり、表示装置本体も厚い物となってしまう。
また、図８及び図９の例では、第二の表示装置を離して配置することで、ベゼルの厚みを抑えたものであるが、当然のことながら、ベゼルの幅（図中Ｃ寸法）が大きくなり、装置本体投影面積も大きくなってしまうこととなる。
このように、主たる第一の表示装置に近接して、副たる第二の表示装置を配置しようとすると、厚みや投影面積が大きくなってしまうという問題が生じるが、これまでこのような問題に対する解決策は示されていない。
【０００７】
本発明は、上記画題に鑑み、主たる第一の表示装置の近傍に、副たる第二の表示装置を配置するようにした構成において、本体の厚みや投影面積を抑えることが可能となる映像表示装置を提供するものである。
【課題を解決するための手段】
【０００８】
本発明は、次のように構成した映像表示装置を提供するものである。
本発明の映像表示装置は、主たる第一の表示手段と、副たる第二の表示手段とを備え、該副たる第二の表示手段が主たる第一の表示手段における表示面の下部側前面に、その一部が重なる状態で配置される映像表示装置であって、
前記副たる第二の表示手段は、表示部と、該表示部の駆動基板と、該表示部の下部側に光源を有するバックライトと、を備え、
前記駆動基板を、前記一部が重なる状態で配置される領域外であり、且つ、前記バックライト背面の前記光源寄りに配置して、前記一部が重なる状態で配置される領域に空きスペースを形成し、
前記主たる第一の表示手段が、前記空きスペースにその一部が重なる状態で配置可能に構成されていることを特徴とする。
また、本発明の映像表示装置は、前記副たる第二の表示手段の前記表示部が、液晶表示手段で構成されていることを特徴とする。
また、本発明の映像表示装置は、前記主たる第一の表示手段は、該第一の表示手段の外周部が枠体によって保持され、
前記副たる第二の表示手段の前記表示部が、前記枠体における前記第一の表示手段の表示面の下部側に形成された表示窓に、対応させて配置されていることを特徴とする。
また、本発明の映像表示装置は、前記主たる第一の表示手段は、該第一の表示手段の外周部が枠体によって保持されると共に、
表示装置本体と、該表示装置本体の表示面に平行で、所定量離れた位置に配置された保護板によって構成され、
前記副たる第二の表示手段の前記表示部が、前記枠体における前記表示面の保護板の下部側に形成された表示窓に、対応させて配置されていることを特徴とする。
【発明の効果】
【０００９】
本発明によれば、主たる第一の表示装置に近接する位置に、副たる第二の表示装置を、本体のサイズを抑えつつ配置することができ、小型、薄型で付加価値の高い映像表示装置を実現することができる。
【発明を実施するための最良の形態】
【００１０】
以下、本発明の実施の形態について説明する。
本実施形態の映像表示装置は、つぎのように構成することにより、主たる第一の表示装置に近接した位置に、副たる第二の表示装置を配置できるようにしたものである。
すなわち、上記副たる第二の表示手段が、主たる第一の表示手段における表示面の下部側前面に、その一部が重なる状態で配置される映像表示装置において、以下のように空きスペースを形成することで、上記近接した位置に配置可能とする。
上記副たる第二の表示手段は、表示部と、該表示部の駆動基板と、該表示部の下部側に光源を有するバックライトと、を備えた構成とする。
そして、前記駆動基板を、前記一部が重なる状態で配置される領域外であり、且つ、前記バックライト背面の前記光源寄りに配置することにより、前記一部が重なる状態で配置される領域に空きスペースが形成される。
このように形成された空きスペースに、上記主たる第一の表示手段をその一部が重なる状態で配置される。
以上のように、液晶表示手段（ＬＣＤ）、バックライト、駆動基板から構成される第二の表示装置において、その駆動基板をバックライト背面の発光源側に片寄せて配置することで、前記一部が重なる状態で配置される領域に空きスペースが生じる。
この空きスペースに、第一の表示装置とバックライト背面が対面する位置に配置することで、本体の厚みと投影面積を抑えながら、主たる第一の表示装置に近接した位置に、副たる第二の表示装置を配置することが可能となる。
【実施例】
【００１１】
以下に、本発明の実施例における映像表示装置について説明する。
図１に、本実施例における映像表示装置を説明するための外観斜視図を示す。
また、図２は図１中の破線ａ−ａにおける断面図であり、図３は本実施例における第二の表示装置の表面側斜視図である。
また、図４は本実施例における第二の表示装置の裏面側斜視図であり、図５は本実施例における第二の表示装置の断面の拡大図である。
【００１２】
図１において、１は主たる第一の表示装置（表示手段）の表面パネル、２は副たる第二の表示装置（表示手段）の表示窓、３はベゼル、４はスタンドである。ここで第一の表示装置１は、該第一の表示装置の外周部がベゼル３（枠体）によって保持されている。
また、第二の表示手段の表示部が、ベゼル３（枠体）における第一の表示装置１の表面パネル（表示面の保護板）の下部側に形成された表示窓２に、対応させて配置されている。
図２において、５は第一の表示装置本体、６は第一の表示装置の駆動基板、７は基板６上の実装素子、８はリアカバー、９はベゼル取り付けフレームである。
１１は第二の表示装置のホルダー部材、１２、１３は前記ホルダー部材と一体に形成された取り付けフランジ、１５は第一の表示装置本体と一体に構成された取り付けフランジ、１６はリアカバー８に設けられた取り付け用フランジ部である。
１７は第二の表示装置の駆動基板、１８、１９、２７はベゼル３と一体に形成された取り付けボス、２８は駆動基板１７上の実装素子である。
【００１３】
図３において、１４は第二の表示装置であるＬＣＤパネル（液晶パネル）、１０は前記ＬＣＤパネルの表示エリア、２４は表示ＬＣＤと駆動基板間で駆動信号を伝送するＦＰＣである。
図４において、２０は駆動基板１７の取り付けフレーム、２１は前記取り付けフレームに設けられた爪部、２２は駆動基板１７に設けられた取り付け穴、２３は駆動基板１７に設けられた位置決め穴である。
図５において、２５は導光プリズム、２６は蛍光管である。
【００１４】
まず、図３〜５を用いて、本実施例における第二の表示装置の構成について説明する。
図５に示したように、導光プリズム２５の下端には蛍光管２６、導光プリズム２５の前面にＬＣＤパネル１４が配置され、ホルダー部材１１によって一体に保持されている。
周知のとおり、このように構成することで、蛍光管２６の光を導光プリズム２５内で拡散・反射させて、ＬＣＤパネル１４の背面に均一な照明光として当てることで、ＬＣＤパネル１４に所定の表示がなされる。
ここで、一般的に、導光プリズム２５は、光源側が厚く、先端に行くほど薄くなるテーパー形状となっている。
図３、図５に示すように、ＬＣＤパネル１４の下端からは、ＦＰＣ２４が下方に出ており、ホルダー１１の下端に沿うように折り返して、背面の駆動基板１７と接続されている。
背面基板１７上には、駆動ＩＣやコネクタなどの素子２８が実装されるが、図５に示すように、実装高さの高い部品を下方に集約し、上側には低い部品を集約させて実装している。
【００１５】
ここで、図４に示すように、駆動基板１７は、取り付けフレーム２０の爪部によって、その上端を挟持され、第二の表示装置のホルダー部材１１背面の下方に寄せて配置され、駆動基板１７の下端は、ホルダー部材１１下端よりも下側に突出する位置となっている。
また、図５に示すように、駆動基板１７上の位置決め穴２３に、ホルダー１１のダボが嵌合することで、駆動基板１７とホルダー１１の相対位置が決まるように構成されている。
図４に示すように、上記取り付けフレーム２０は、その両端がバックライト背面の左右に突出し、ホルダー１１と一体に形成されたフランジ１２と重なるように構成されている。
このようにバックライト背面の光源側に駆動基板１７を片寄せて配置することで、バックライト先端側の薄い部分を効果的に活用した、図５中斜線で示した領域が開放され、他の部品を配置するスペースとして利用することができる。
【００１６】
つぎに、図２を用いて、第二の表示装置の取り付け、及び全体の構成について説明する。
上記のように構成された第二の表示装置は、まず、ホルダー部材１１のフランジ１３に設けられた図示しない穴と、ベゼル３に形成されたボス１８とで位置決めを行う。
そして、ホルダー部材１１上のフランジ１２及び取り付けフレーム２０を、ベゼル３に形成されたボス１９に対してビス等の締結手段で固定する。
同様に、駆動基板１７の取り付け穴２２は、図示しないベゼル３のボスにビス等の締結手段で固定する。
従って、第二の表示装置はその左右端と、中央下端でベゼル３に締結されている。
【００１７】
ベゼル取り付けフレーム９は、ベゼル３のボス１８とビス等の締結手段で固定され、表面パネル１をベゼル３との間で保持するとともに、ベゼル３の強度を確保する部材である。
表示装置本体５は、その取り付け部１５を、ベゼル取り付けフレーム９にビス等の締結手段で固定することで保持される。
なお、第一の表示装置の駆動基板６は、図示しない取り付け部材を介して、第一の表示装置本体５の背面側に固定される。
リアカバー８は、その取り付けフランジ部１６を、ベゼル３のボス１８に対して、ベゼル取り付けフレーム９と共にビス等の締結手段で固定される。
また、ベゼル３には、第二の表示装置の表示窓２が形成されており、ＬＣＤパネル１４を外圧や傷等から保護するように構成されている。
【００１８】
上記のように構成することにより、図５に示した斜線領域には、表面パネル１と取り付けフレーム９が効率的に配置され、ベゼル３の厚み及び幅の増加を抑えながら、第一の表示装置の近傍に第二の表示装置を配置することができる。
また、表示窓２に、グレースモーク等の半透明の材料を用いることにより、ＬＣＤパネル１４を外観上目立たなくすることが可能である。
これにより、第一の表示部に注視しているときに、消えている第二の表示部が気にならないように構成でき、なおかつ、第二の表示部を表示させるときには、第一の表示部と近接していることによる種々の効果を実現することができる。
例えば、第一の表示部と第二の表示部の表示内容が連動するなどの視覚効果向上、ユーザーインターフェースの向上等を実現し、付加価値の高い表示装置を実現することができる。
【００１９】
なお、上記実施例では、第一の表示装置として、表示装置本体と、該表示装置本体の表示面に平行で、所定量離れた位置に配置された保護板を備えた構成、すなわち、第一の表示装置本体５と表面パネル１が独立したものについて示した。しかし、このような構成に限定されるものではなく、表面パネルが表示装置本体と一体である表示装置であっても、同様に適用できることは言うまでもない。
また、第二の表示装置として、蛍光管を光源とするバックライト及びＬＣＤを示したが、白色ＬＥＤを光源とするバックライトでも本発明は適用可能である。
さらには、第二の表示装置として、電解放電ディスプレイ（ＦＥＤ）や有機ＥＬ等の自発光型の表示装置を用いた場合でも、その駆動基板の配置に対し、本実施例が適用可能である。
【図面の簡単な説明】
【００２０】
【図１】本発明の実施例における映像表示装置を説明するための外観斜視図。
【図２】本発明の実施例における表示装置の図１中の破線ａ−ａにおける断面図。
【図３】本発明の実施例における第二の表示装置の表面側斜視図。
【図４】本発明の実施例における第二の表示装置の裏面側斜視図。
【図５】本発明の実施例における第二の表示装置の断面拡大図。
【図６】従来例における映像表示装置を説明するための外観斜視図。
【図７】従来例における映像表示装置の図６中の破線ａ−ａにおける断面図。
【図８】従来例における映像表示装置を説明するための外観斜視図。
【図９】従来例における映像表示装置の図８中の破線ａ−ａにおける断面図。
【符号の説明】
【００２１】
１：第一の表示装置の表面パネル
２：第二の表示装置の表示窓
３：ベゼル
４：スタンド
５：第一の表示装置本体
６：第一の表示装置駆動基板
７：第一の表示装置駆動基板（実装素子）
８：リアカバー
９：取り付けフレーム
１０：ＬＣＤ表示領域
１１：ホルダー
１２：ホルダーのフランジ
１３：ホルダーのフランジ
１４：ＬＣＤパネル
１５：第一の表示装置取り付け部
１６：リアカバー取り付け部
１７：第二の表示装置駆動基板
１８：ベゼルのボス
１９：ベゼルのボス
２０：取り付けフレーム（第二の表示装置）
２１：爪部
２２：駆動基板取り付け穴
２３：起動基板位置決め穴
２４：ＦＰＣ
２５：導光プリズム
２６：蛍光管
２７：ベゼルのボス
２８：第二の表示装置駆動基板実装素子
【図１】
2010127998.tif 000003
【図２】
2010127998.tif 000004
【図３】
2010127998.tif 000005
【図４】
2010127998.tif 000006
【図５】
2010127998.tif 000007
【図６】
2010127998.tif 000008
【図７】
2010127998.tif 000009
【図８】
2010127998.tif 000010
【図９】
2010127998.tif 000011